(57)【特許請求の範囲】
【請求項１】
走行体と、
その走行体に縦軸中心に回転可能に取り付けられる支持部材と、
その支持部材に取り付けられるＸ線管球と、
その走行体に保持される制御装置とを備える移動型Ｘ線装置において、
そのＸ線管球に電気的に接続される第１の導電体が、その支持部材側に設けられ、
その制御装置に電気的に接続される第２の導電体が、その走行体側に設けられ、
その第１の導電体と第２の導電体とは、その制御装置とＸ線管球とを電気的に接続できるように互いに接触すると共に、その支持部材の走行体に対する回転により相対滑り可能とされていることを特徴とする移動型Ｘ線装置。
【発明の詳細な説明】
【０００１】
【発明の属する技術分野】
本発明は、病院内での回診等の際に透視撮影を行うために用いられる移動型Ｘ線装置に関する。
【０００２】
【従来の技術】
図３に示す従来の移動型Ｘ線装置１０１は、走行体１０２と、この走行体１０２に縦軸中心に回転可能に取り付けられる支柱１０３と、この支柱１０３にアーム１０４を介して取り付けられるＸ線管球１０５と、その走行体１０２に保持される制御装置１０６とを備える。その制御装置１０６は、Ｘ線管球１０５にケーブル１０７により電気的に接続され、Ｘ線管球１０５にＸ線照射のための電力を供給する。
【０００３】
【発明が解決しようとする課題】
従来の構成では、Ｘ線管球１０５を縦軸中心に回転させる場合、そのＸ線管球１０５と制御装置１０６とを接続するケーブル１０７が支柱１０３に巻き付くため、その回転角度が制限されるという問題があった。そのため、Ｘ線管球１０５を所望位置に位置決めするには装置全体の向きを変えなければならない場合があり、作業性が悪かった。また、狭い病室で使用する場合や、透視撮影対象の被検体のベッドが壁ぎわに置かれているような場合は、装置全体の向きを変えるのが困難であるため、装置自体の使用が制限されるという問題があった。また、ケーブル１０７の断線トラブルが発生し易かった。
【０００４】
本発明は、上記問題を解決することのできる移動型Ｘ線装置を提供することを目的とする。
【０００５】
【課題を解決するための手段】
本発明は、走行体と、その走行体に縦軸中心に回転可能に取り付けられる支持部材と、その支持部材に取り付けられるＸ線管球と、その走行体に保持される制御装置とを備える移動型Ｘ線装置において、そのＸ線管球に電気的に接続される第１の導電体が、その支持部材側に設けられ、その制御装置に電気的に接続される第２の導電体が、その走行体側に設けられ、その第１の導電体と第２の導電体とは、その制御装置とＸ線管球とを電気的に接続できるように互いに接触すると共に、その支持部材の走行体に対する回転により相対滑り可能とされていることを特徴とする。
【０００６】
上記構成によれば、Ｘ線管球と制御装置とは第１の導電体と第２の導電体とを介して電気的に接続され、両導電体は支持部材の走行体に対する回転により相対的に滑る。これにより、その回転により支持部材に巻き付くようなケーブルを用いることなく、Ｘ線管球と制御装置とを電気的に接続できるので、支持部材の回転角度が制限されるのを防止できる。
【０００７】
【発明の実施の形態】
以下、図面を参照して本発明の実施形態を説明する。
【０００８】
図１に示す透視撮影用の移動型Ｘ線装置１は、走行体２と、この走行体２に縦軸中心に回転可能に取り付けられる支持部材３と、この支持部材３に取り付けられるＸ線管球４と、その支持部材３の内部に保持される制御装置５とを備えている。その制御装置５により電源からＸ線管球４に電力が供給される。その電源として制御装置５に接続されるバッテリーを走行体２に搭載してもよいし、制御装置５をケーブルを介して外部電源に接続してもよい。なお、Ｘ線フィルムやイメージインテンシファイア等のＸ線映像受像手段は、走行体２に設けてもよいし、被検体の寝台に設けてもよく、例えば、走行体２にイメージインテンシファイアを取り付けたり、被検体の寝台にＸ線感光フィルムを収納したカセッテを取り付けることができる。
【０００９】
その走行体２は、ベース２ａと、このベース２ａの後部に搭載される制御装置５を覆うカバー２ｂと、複数の走行輪２ｃとを有する。この走行体２の移動は、手押しでも駆動機構によるものでもよい。
【００１０】
その支持部材３は支柱３ａとアーム３ｂとを有する。その支持部材３が走行体２に対して縦軸中心に回転可能なように、図２に示すように、その支柱３ａは上記ベース２ａの前部にベアリング７を介して取り付けられる。そのアーム３ｂは、その支柱３ａに昇降可能かつ同行回転可能に取り付けられ、横方向に伸縮可能とされ、その先端に上記Ｘ線管球４が取り付けられている。
【００１１】
その支柱３ａに、第１の導電体としてスリップリング１０が、その支柱３ａと同行回転するように嵌め合わされている。そのスリップリング１０にＸ線管球４がケーブル１１を介して電気的に接続される。そのケーブル１１の一端側は、図１に示すように支柱３ａに形成された開口３ａ′から支柱３ａ内に挿入され、他端側はアーム３ｂの外面に保持部材１２を介して保持される。
【００１２】
また、図２に示すように、その走行体２にカバー２ｄを介して固定されたブラシホルダ２１に、第２の導電体としてブラシ２０が保持される。そのブラシ２０に制御装置５がケーブル２２を介して電気的に接続される。そのブラシ２０は、そのブラシホルダ２１に取り付けられたバネ２３の弾力により上記スリップリング１０に押し付けられる。これにより、そのスリップリング１０とブラシ２０とは、上記制御装置５とＸ線管球４とを電気的に接続できるように互いに接触され、支持部材３の走行体２に対する回転により相対滑りする。
【００１３】
上記構成によれば、Ｘ線管球４と制御装置５とはスリップリング１０とブラシ２０とを介して電気的に接続され、そのスリップリング１０とブラシ２０とは支持部材３の走行体２に対する回転により相対的に滑る。これにより、その回転により支持部材３に巻き付くようなケーブルを用いることなく、Ｘ線管球４と制御装置５とを電気的に接続し、制御装置５は電源からＸ線管球４にケーブル１１、２２、スリップリング１０、ブラシ２０を介して電力を供給することができる。よって、支持部材３の回転角度が制限されることはなく、走行体２上において支柱３ａ、アーム３ｂ、Ｘ線管球４をエンドレスに回転させても支柱３ａにケーブル１１、２２が巻き付くことはなく、Ｘ線管球４の位置決めの自由度が大きくなると共にケーブル１１、２２の断線トラブルを低減できる。
【００１４】
なお、本発明は上記実施形態に限定されない。例えば、支持部材の形態は特に限定されず、上記実施形態におけるような支柱は必須ではなく、走行体２に直接取り付けられるアームのみにより構成される支持部材であってもよい。また、第１の導電体と第２の導電体とはスリップリングとブラシにより構成されるものに限定されず、走行体に対する支持部材の回転により相対滑り可能で、制御装置とＸ線管球とを電力供給可能に電気的に接続できるものであればよい。また、支持部材側に設けた高圧トランスを介してＸ線管球と第１の導電体とを電気的に接続するようにしてもよく、この場合、両導電体をコンパクトにできる。
【００１５】
【発明の効果】
本発明によれば、Ｘ線管球の位置決めの自由度が大きくなり、作業性を向上でき、狭い場所での使用にも支障をきたすことがなく、ケーブルの断線トルブルを低減できる移動型Ｘ線装置を提供できる。
【図面の簡単な説明】
【図１】本発明の実施形態の移動型Ｘ線装置の側面図
【図２】本発明の実施形態の移動型Ｘ線装置の要部の構成説明図
【図３】従来の移動型Ｘ線装置の側面図
【符号の説明】
２  走行体
３  支持部材
４  Ｘ線管球
５  制御装置
１０  スリップリング（第１の導電体）
２０  ブラシ（第２の導電体）
【図１】
0003635832.tif 000002
【図２】
0003635832.tif 000003
【図３】
0003635832.tif 000004